(57)【要約】【課題】現地施工とメンテナンスが簡単で、前置ストレーナや配管突起のない、設置スペースが小さい管内異物除去装置を提供する【解決手段】ケーシング（２）に内接した流入室（５）と周部に二次フイルタ（１２）を張設した分離室（１１）の間に一次フイルタ（９）を夾持して、着脱自在な蓋体（１５）に軸支させと共に、蓋体（１５）から垂下した回転軸（１８）に排水路（２１）を形成し、流入室（５）の底部近傍に排水路（２１）の吸込口（２２）を開口し、分離室（１１）の二次フイルタ（１２）に近接させた洗浄管（２３）を回転軸（１８）に連結したので、流入室（５）で比重の重い異物や大径の懸濁物質を捕集して、二次フイルタ（１２）の閉塞が防止される。ケーシング（２）への装着と抜出しが可能となり、装置回りの配管の施工とフイルタの清掃やメンテナンスが簡単に行える。【選択図】      図１
2004358405.tif 000002
【特許請求の範囲】
【請求項１】
ケーシング（２）の周壁に流入管（３）と流出管（４）を連結したストレーナ（１）を配水管（８）に設置し、ストレーナ（１）に配設したフイルタで懸濁物質を分離する異物除去装置において、流入管（３）に対設した流入室（５）と周部に二次フイルタ（１２）を張設した円筒状の分離室（１１）をケーシング（２）に内設し、流入室（５）と分離室（１１）の間に一次フイルタ（９）を夾持させ、分離室（１１）とケーシング（２）の間に処理水室（１３）を形成して、処理水室（１３）を流出管（４）に連通させると共に、ストレーナ（１）の蓋体（１５）から流入室（５）と分離室（１１）に垂下させた回転軸（１８）に排水路（２１）を形成し、流入室（５）の底部近傍の回転軸（１８）に吸込口（２２）を開口し、分離室（１１）の二次フイルタ（１２）に近接させた洗浄管（２３）を回転軸（１８）に連結して排水路（２１）に連通させたことを特徴とする管内異物除去装置。
【請求項２】
上記ケーシング（２）に着脱自在に配設した蓋体（１５）に流入室（５）と分離室（１１）を垂下して、流入室（５）と分離室（１１）を蓋体（１５）と一緒にストレーナ（１）から抜出し可能としたことを特徴とする請求項１に記載の管内異物除去装置。
【請求項３】
上記蓋体（１５）に配設した懸濁室（２４）に回転軸（１８）に設けた排水路（２１）の排出口（２５）を開口し、排水弁（２６）を有する排出管（２７）を懸濁室（２４）に連結したことを特徴とする請求項１または２に記載の管内異物除去装置。
【請求項４】
上記流入室（５）側の一次フイルタ（９）に、複数の棒状あるいは板状の突起（１０・・・）を設けたことを特徴とする請求項１乃至３の何れか１項に記載の管内異物除去装置。
【請求項５】
上記一次フイルタ（９）を孔径が１０〜２０ｍｍのパンチングメタル（９ａ）で構成し、二次フイルタ（１２）を孔径が１０〜２５０μのメッシュメタル（１２ａ）で構成したことを特徴とする請求項１乃至４の何れか１項に記載の管内異物除去装置。
【請求項６】
上記流入室（５）の底部の受け皿（７）を漏斗状に形成し、受け皿（７）の傾斜底部の近傍に回転軸（１８）の吸込口（２２）を開口したことを特徴とする請求項１乃至５の何れか１項に記載の管内異物除去装置。
【発明の詳細な説明】
【０００１】
【発明の属する技術分野】
この発明は、上水、工業用水などの配水管に設置し、配水管に流れる懸濁物質を除去する管内異物除去装置の改良に関する。
【０００２】
【従来の技術】
従来の異物除去装置は、配水管に装着したケース内に目開きが０．１ｍｍ程度のフイルタ部材を配設し、流れている砂粒、錆、塗装片などの捕集、フイルタ部材の洗浄を目的としている。たとえば、ケースに配設した円筒形のフイルタ部材の内部に回転自在な吸引管を対設し、開閉弁を介して大気に連通させた懸濁物除去装置は、特許文献１に記載してあるように公知である。
【０００３】
【特許文献１】
特開平１０−１３７５１６号公報（段落番号００２１乃至００３０、図１）
【０００４】
【発明が解決しょうとする課題】
配水管の工事を行う場合、砂粒、錆等の懸濁物質以外にもシールテープやビニールシートあるいはウエス等の工事副資材の小片も混入する可能性がある。これらがストレーナに流入すると、フイルタ部材や洗浄管に絡み付き、ストレーナが機能しなくなる可能性がある。その場合、分解掃除が必要となり、断水により利用者に迷惑をかける恐れがある。このような状況を回避するために、上流側に前置ストレーナを配置することも考えられるが、設置スペースの面から不利である。また、ストレーナの異物排除管が、従来の懸濁物質や異物を下部から引き抜く構造では現地施工が広範囲となる。この発明は、現地施工とメンテナンスが簡単で、前置ストレーナや配管突起のない、設置スペースが小さい管内異物除去装置を提供する。
【０００５】
【課題を解決するための手段】
この発明の要旨は、ケーシングの周壁に流入管と流出管を連結したストレーナを配水管に設置し、ストレーナに配設したフイルタで懸濁物質を分離する異物除去装置において、流入管に対設した流入室と周部に二次フイルタを張設した円筒状の分離室をケーシングに内設し、流入室と分離室の間に一次フイルタを夾持させ、分離室とケーシングの間に処理水室を形成して、処理水室を流出管に連通させると共に、ストレーナの蓋体から流入室と分離室に垂下させた回転軸に排水路を形成し、流入室の底部近傍の回転軸に吸込口を開口し、分離室の二次フイルタに近接させた洗浄管を回転軸に連結して排水路に連通させたもので、一次および二次フイルタで捕捉した懸濁物質を、集合した１本の回転軸の排水路で外部に排出できる。そして、比重の重い異物や大径の懸濁物質が流入室と一次フイルタで除去されて、微細な懸濁物質だけが分離室に流入するので、二次フイルタの長期間の閉塞が防止できる。懸濁物質を上部から排出することで、ストレーナの底面に配管等の突起物が無く、前置ストレーナも省略できる。また、地中の配水管に設置する場合でも、掘削深さの削減が可能となり、施工性が向上する。
【０００６】
ケーシングに着脱自在に配設した蓋体に流入室と分離室を垂下したもので、流入室と分離室を蓋体と一緒にケーシングへの装着が可能となり、地下の狭い場所での作業でも、装置回りの配管施工が容易となる。また、流入室と分離室を蓋体と一緒にケーシングからの抜出しも可能となり、フイルタの清掃やフイルタの交換も容易となる。ニーズに応じて、孔径の異なるフイルタの交換も可能となるもので、メンテナンスが簡単に行える。懸濁物質の装置外への抜出しが、蓋体に配設した懸濁室に、回転軸に設けた排水路の排出口を開口し、排水弁を有する排出管を懸濁室に連結したもので、排出管の排水弁を開けば、流入室に沈殿した懸濁物質が水圧により排出される。そして、回転軸を回転させれば、二次フイルタに捕捉した懸濁物質が、逆流する処理水質の水と一緒に洗浄管に流入し、二次フイルタの目詰まりを解消できる。
【０００７】
流入室側の一次フイルタに、複数の棒状あるいは板状の突起を設けたもので、ビニールシートやウエス等を突起に阻止させて、大径の夾雑物が一次フイルタに張り付くことがなく、一次フイルタの早期の目詰まりが防止できる。そして、ストレーナに用いるフイルタは、孔径が１０〜２０ｍｍのパンチングメタルで構成した一次フイルタと、孔径が１０〜２５０μのメッシュメタルで構成した二次フイルタを用いたもので、一次フイルタで大径の懸濁物質を捕捉し、微細な懸濁物質だけが分離室に流入するので、二次フイルタが閉塞する危険性は少なくなる。また、流入室の底部の受け皿を漏斗状に形成し、受け皿の傾斜底部の近傍に回転軸の吸込口を開口したもので、配水管の底部に流れてきた濁室は受け皿に溜まり、排水路を大気圧に連通させることにより、沈殿物をストレーナの外部に排出することができる。
【０００８】
【発明の実施の形態】
この発明に係る管内異物除去装置は、上記のように構成してあり、上流側から流れてきた配水管の水は、流入管からストレーナの流入室に流入する。配水管の底部を流れてきた重い懸濁物質は、流入室の漏斗状の受け皿に堆積する。水に浮遊するビニールシート等の夾雑物は一次フイルタの突起に係止され、異物が一次フイルタに張り付くのを妨げて、フイルタ面の目詰まりを防止する。
大径の懸濁物質は孔径の大きい一次フイルタに捕捉され、水に含まれる微細な懸濁物質は処理水室に流入して、孔径の小さい二次フイルタに捕捉される。処理水質に流入した分離水は、流出管から下流側の配水管に移送される。流入室で大径の懸濁物質を取り除くので、目開きの小さな二次フイルタが閉塞する危険性は少なくなる。
【０００９】
ストレーナの排水管に設けた排水弁を開けば、懸濁室が大気圧に開放され、流入室の受け皿に沈殿している懸濁物質が回転軸の排水路から水圧により懸濁室に流入する。同時に回転軸を回転させると、洗浄管が処理水室の二次フイルタのスクリーン面に沿って回転し、処理水室から処理水が逆流する。二次フイルタに付着した懸濁物質は、処理水により剥離され、回転軸の排水路から懸濁室に流入し、排出管からストレーナの外部に排出される。そして、ストレーナの内圧の異常を検知して、あるいは所定期間ごとに、ストレーナのケーシングの上部から蓋体と一緒に流入室と処理水室を抜き出せば、目詰まりした流入室の一次スクリーンと処理水室の二次フイルタの点検と目詰まりの解消が可能であり、スクリーンの交換も簡単に行える。なお、ニーズに応じて孔径の異なるフイルタに交換も可能である。また、配水管にストレーナを設置するときには、ストレーナのケース回りの配管を施工した後に、ケースの上部から蓋体に吊設した流入室と処理水室を装着することができる。ストレーナの底面に配管等の突起物が無く、前置ストレーナも省略できるので施工性が向上する。
【００１０】
【実施例】
この発明の実施例を図面に基づき詳述すると、図１は管内異物除去装置の縦断面図であって、ストレーナ１の円筒状のケーシング２の下半部に流入管３と流出管４が連結してあり、流入管３の流入端部がケーシング２の内部に延設してある。ケーシング２の下半部には、流入管３から水を流入させる円環状の流入室５が配設してあり、流入室５の流入口６がケーシング２の流入管３に対設してある。流入室５の底部は漏斗状に形成して、沈殿物の受け皿７としてあり、配水管８の底部を流れて来た砂粒、錆等の懸濁物質を、流入室５の受け皿７の傾斜底部に堆積させるようにしてある。
【００１１】
図１に示すように、流入室５の上部に比較的孔径の大きい一次フイルタ９が張設してあり、水に浮遊する大径の懸濁物質を一次フイルタ９で捕捉して、粗大化した懸濁物質を受け皿７に沈殿させる。図２は一次フイルタの拡大図であって、この発明の実施例では、一次フイルタ９は孔径が１０〜２０ｍｍのパンチングメタル９ａで構成してある。パンチングメタル９ａに複数の板状の突起１０・・・を流入室５側に設けてあり、工事副資材のシールテープやビニールシートあるいはウエス等の小片を一次フイルタ９から垂下させた突起１０に係止させる。可撓性の夾雑物がパンチングメタル９ａに付着するのを妨げて、フイルタ面の早期の目詰まりを防止する。なお、パンチングメタル９ａに設ける突起１０は、棒状であってもよいものである。
【００１２】
図１に示すように、ケーシング２の上半部に円筒状の分離室１１が配設してあり、周部に孔径の細かい二次フイルタ１２が張設してある。図３はケーシングから流入室と分離室を取出した縦断面図であって、この発明の実施例では、二次フイルタ１２は、孔径が１０〜２５０μのメッシュメタル１２ａで構成してあり、外側に補強材のパンチングメタル２８が張設してある。ろ過目の大きいパンチングメタル９ａで大径の懸濁物質が捕捉され、分離室１１に流入する微細懸濁物質だけをろ過目の小さいメッシュメタル１２ａで分離させるので、メッシュメタル１２ａが閉塞する危険性は少なくなる。図１に示すように、分離室１１とケーシング２の間に処理水室１３が形成してあり、微細な懸濁物質を二次フイルタ１２で分離して、処理水室１３に流入してきた処理水をケーシング２に連結した流出管４から抜出すようにしてある。
【００１３】
図３に示すように、流入室５の上端部と分離室１１の下端部が連結してあり、流入室５の上部に張設した一次フイルタ９のパンチングメタル９ａを夾持してある。ケーシング２の上部に蓋体１５が着脱自在に載置してあり、分離室１１の周部上端部が蓋体１５に止着してある。流入室５と分離室１１が蓋体１５に垂設した構造となっており、流入室５と分離室１１が蓋体１５と一体的にケーシング２に装着し、あるいは抜き出しができるようにしてある。なお、符号１６は、流入室５の周壁上端部に設けたシールリングであって、ケーシング２に装着した時に、ケーシング２の槽底から立設した円筒状の支持板１７に流入室５の周壁上端部を支架させる。
【００１４】
図３に示すように、公知の駆動機（図示せず）に連結した回転軸１８がストレーナ２の蓋体１５に設けた軸受１９に軸支して、分離室１１の中心部に垂下してある。回転軸１８はパンチングメタル９ａを貫通して、流入室５の底部の受け皿７の近傍まで延設してあり、回転軸１８の下端が流入室５の受け皿７に設けた支持台２０に支架してある。流入室５と分離室１１に垂下させた回転軸１８に排水路２１が形成してあり、回転軸１８の下端に排水路２１の吸込口２２が開口してある。分離室１１に張設したメッシュメタル１２ａに近接させた洗浄管２３が、分離室１１に垂下して分岐させた回転軸１８に連結して、洗浄管２３を排水路２１に連通させてある。洗浄管２３はメッシュメタル１２ａの上下面に渡って開口してあり、駆動機を作動して回転軸１８を回転させれば、洗浄管２３がメッシュメタル１２ａのろ過面の全面を移動する。
【００１５】
ストレーナ１の蓋体１５に回転軸１８を囲繞して懸濁室２４が配設してあり、回転軸１８に設けた排水路２１の排出口２５を懸濁室２４に開口してある。懸濁室２４に排水弁２６を設けた排出管２７が連結してあり、排出管２７の後端が大気に開放してある。排出管２７の排水弁２６を開放すれば、懸濁室２４が大気圧となり、流入室５に沈殿した懸濁物質が水圧により回転軸１８の排水路２１に流入し、懸濁室２４から排出される。また、洗浄管２３に対設した処理水室１３の処理水が逆流して、メッシュメタル１２ａに捕捉した懸濁物質とともに洗浄管２３に流入し、懸濁室２４から排出される。そして、回転軸１８を回転させれば、洗浄管２３がろ過面を移動して、メッシュメタル１２ａの目詰まりを解消する。尚、排水管２７にポンプを連結して、水圧低下時においても懸濁物質の排出が可能である。
【００１６】
【発明の効果】
この発明は、上記のように構成してあり、現地施工とメンテナンスが簡単で、設置スペースが小さく前置ストレーナや配管突起のない管内異物除去装置となるものである。即ち、従来装置にあっては、可撓性の夾雑物がストレーナに流入すると、ストレーナが機能しなくなる恐れがあり、上流側に前置ストレーナを配置すると、設置スペースの面から不利である。そして、捕捉した懸濁物質や沈殿物をストレーナの下部から引き抜く構造では、現地施工が広範囲となっていた。この発明にあっては、流入室と周部に二次フイルタを張設した円筒状の分離室の間に一次フイルタを夾持させ、ストレーナの蓋体から垂下させた回転軸に排水路を形成し、流入室の底部近傍の回転軸に吸込口を開口し、分離室の二次フイルタに近接させた洗浄管を回転軸に連結したので、一次および二次フイルタで捕捉した懸濁物質を、集合した１本の排水路から排出できて、ストレーナの底面に配管等の突起物が無く、施工性が向上する。そして、比重の重い異物や大径の懸濁物質が流入室と一次フイルタで除去されて、二次フイルタの長期間の閉塞が防止できる。
【００１７】
流入室と分離室を着脱自在な蓋体に軸支したので、ケーシングへの装着と、ケーシングからの抜出しが可能となり、装置回りの配管の施工とフイルタの清掃やメンテナンスが簡単に行える。また、ストレーナの蓋体に懸濁室を配設し、回転軸の排水路を懸濁室に開口し、排水弁を設けた排出管を懸濁室に連結したので、流入室に沈殿した懸濁物質が水圧により排出され、二次フイルタに捕捉した懸濁物質が逆洗されて二次フイルタの目詰まりを解消することができる。
【００１８】
流入室側の一次フイルタに、複数の棒状あるいは板状の突起を設けたので、
大径の夾雑物が一次フイルタに張り付くことがなく、一次フイルタの早期の目詰まりが防止できる。そして、ストレーナに用いるフイルタは、孔径が１０〜２０ｍｍのパンチングメタルで構成した一次フイルタと、孔径が１０〜２５０μのメッシュメタルで構成した二次フイルタを用いたので、一次フイルタで比重の重い大径の懸濁物質を捕捉し、二次フイルタが閉塞する危険性は少なくなる。また、流入室の底部の受け皿を漏斗状に形成し、受け皿の傾斜底部の近傍に回転軸の吸込口を開口したので、受け皿に溜った懸濁物質をストレーナの外部に排出することができる。
【図面の簡単な説明】
【図１】この発明に係る管内異物除去装置の縦断面図である。
【図２】同じく、第一フィルタの要部拡大図である。
【図３】同じく、ケーシングから流入室と分離室を取出した縦断面図である。
【符号の説明】
１  ストレーナ
２  ケーシング
３  流入管
４  流出管
５  流入室
７  受け皿
８  配水管
９  一次フイルタ
９ａ  パンチングメタル
１０  突起
１１  分離室
１２  二次フイルタ
１２ａ  メッシュメタル
１３  処理水室
１５  蓋体
１８  回転軸
２１  排水路
２２  吸込口
２３  洗浄管
２４  懸濁室
２５  排出口
２６  排水弁
２７  排出管
【図１】
2004358405.tif 000003
【図２】
2004358405.tif 000004
【図３】
2004358405.tif 000005